(57)【要約】  本発明は、光記録担体２にアクセスするドライブであって、記録担体のタイプを特定する手段４、特に読出専用型の記録担体を、リードイン領域内にウォブル状のグルーブを有する記録可能型または書換可能型の記録担体と区別する手段４を含み、その手段が、位相差検出（ＤＰＤ）信号を測定するＤＰＤ測定ユニット４１と、ＤＰＤ信号が測定できなかった際に、プッシュプル（ＰＰ）信号を測定するＰＰ測定ユニット４２と、ＰＰ信号が測定できた際、第１および／または第２の極性設定を用いて、ウォブル状のグルーブ内に組み込まれたウォブルにロッキングするウォブルロッキングユニット４３と、ＤＰＤ信号が測定できた際に、その記録担体が読出専用型の記録担体であることを示し、ＤＰＤ信号は測定できなかったがＰＰ信号が測定でき、かつウォブルへのロッキングが成功した際に、その記録担体が記録可能型または書換可能型の記録担体であることを示す、第１の指示信号を発生させる指示ユニット４４とを含む手段であるような、ドライブに関するものである。さらなる形態では、記録可能型または書換可能型の記録担体の場合において、極性のタイプを示す第２の指示信号が発生させられる。
2008510261.tif 000002
【特許請求の範囲】
【請求項１】
光記録担体にアクセスするドライブであって、
前記記録担体のタイプを特定する手段、特に読出専用型の記録担体を、ウォブル状のグルーブを有する記録可能型または書換可能型の記録担体と区別する手段を含み、該手段が、
−  位相差検出（ＤＰＤ）信号を測定するＤＰＤ測定ユニットと、
−  ＤＰＤ信号が測定できなかった際に、プッシュプル（ＰＰ）信号を測定するＰＰ測定ユニットと、
−  ＤＰＤ信号が測定できた際に、前記記録担体が読出専用型の記録担体であることを示し、ＤＰＤ信号は測定できなかったがＰＰ信号が測定できた際に、前記記録担体が記録可能型または書換可能型の記録担体であることを示す、第１の指示信号を発生させる指示ユニットとを含む手段であることを特徴とするドライブ。  
【請求項２】
前記記録担体のタイプを特定する前記手段が、ＰＰ信号が測定できた際、第１および／または第２の極性設定を用いて、前記ウォブル状のグルーブ内に組み込まれた該ウォブルにロッキングするウォブルロッキングユニットをさらに含んでおり、
前記指示ユニットは、ＤＰＤ信号が測定できた際に、前記記録担体が読出専用型の記録担体であることを示し、ＤＰＤ信号は測定できなかったがＰＰ信号が測定でき、かつ前記ウォブルへのロッキングが成功した際に、前記記録担体が記録可能型または書換可能型の記録担体であることを示す、第１の指示信号を発生させるように構成されていることを特徴とする請求項１記載のドライブ。
【請求項３】
前記記録担体のタイプを特定する前記手段が、さらに記録可能型または書換可能型の記録担体の極性を特定するように構成されており、
前記指示ユニットはさらに、記録可能型または書換可能型の記録担体の場合において、前記ウォブルへのロッキングが成功した前記極性設定に応じて、前記記録可能型または書換可能型の記録担体が第１または第２の極性を有することを示す、第２の指示信号を発生させるように構成されていることを特徴とする請求項２記載のドライブ。
【請求項４】
前記指示ユニットは、ＰＰ信号が測定できなかった際または前記ウォブルへのロッキングが成功しなかった際に、前記第１の指示信号内において、前記記録担体が異なる光記録担体規格のものであることを示すように構成されていることを特徴とする請求項２または３記載のドライブ。
【請求項５】
前記ウォブルロッキングユニットは、ＰＰ信号が測定できた際に、第１の極性設定、特に最もよく出現する記録可能型または書換可能型の記録担体の極性設定を用いて、前記ウォブル状のグルーブ内に組み込まれた該ウォブルにロッキングし、かつ、ロッキングが成功しなかった際には、第２の極性設定を用いて、前記ウォブル状のグルーブ内に組み込まれた該ウォブルにロッキングするように構成されていることを特徴とする請求項２記載のドライブ。
【請求項６】
前記第１の極性設定がオン・グルーブの極性設定であり、前記第２の極性設定がイン・グルーブの極性設定であることを特徴とする請求項２記載のドライブ。
【請求項７】
前記記録担体のタイプを特定する前記手段が、ＢＤ規格の記録担体の種々のタイプの中から、前記記録担体のタイプを特定するように構成されていることを特徴とする請求項１記載のドライブ。
【請求項８】
前記ＤＰＤ測定ユニットが、前記ＤＰＤ信号を測定するため、前記記録担体のＰＩＣ領域にアクセスするように構成されていることを特徴とする請求項１または２記載のドライブ。
【請求項９】
光記録担体のタイプを特定する方法、特に読出専用型の記録担体を、ウォブル状のグルーブを有する記録可能型または書換可能型の記録担体と区別する方法であって、
−  位相差検出（ＤＰＤ）信号を測定する工程と、
−  ＤＰＤ信号が測定できなかった際に、プッシュプル（ＰＰ）信号を測定する工程と、
−  ＤＰＤ信号が測定できた際に、前記記録担体が読出専用型の記録担体であることを示し、ＤＰＤ信号は測定できなかったがＰＰ信号が測定できた際に、前記記録担体が記録可能型または書換可能型の記録担体であることを示す、第１の指示信号を発生させる工程とを含むことを特徴とする方法。
【請求項１０】
−  ＰＰ信号が測定できた際、第１および／または第２の極性設定を用いて、前記ウォブル状のグルーブ内に組み込まれた該ウォブルにロッキングする工程と、
−  ＤＰＤ信号が測定できた際に、前記記録担体が読出専用型の記録担体であることを示し、ＤＰＤ信号は測定できなかったがＰＰ信号が測定でき、かつ前記ウォブルへのロッキングが成功した際に、前記記録担体が記録可能型または書換可能型の記録担体であることを示す、第１の指示信号を発生させる工程とをさらに含むことを特徴とする請求項９記載の方法。
【請求項１１】
コンピュータ上で実行された際に、該コンピュータに請求項９または１０記載の方法の各工程を実行させるような、プログラムコード手段を含むことを特徴とするコンピュータプログラム。
【発明の詳細な説明】
【技術分野】
【０００１】
本発明は、光記録担体にアクセスする装置（とりわけ光ディスクドライブ）であって、記録担体のタイプを特定する手段、特に読出専用型の記録担体を、ウォブル状のグルーブ（溝）を有する記録可能型または書換可能型の記録担体と区別する手段を含む装置に関するものである。本発明はまた、光記録担体のタイプを特定する対応の方法、およびかかる方法をコンピュータ上で実行するためのコンピュータプログラムにも関するものである。
【背景技術】
【０００２】
光データ記憶システム内では、データは、光ディスク等の光記録担体のデータ層内に記憶される。典型的には、データビットが、同心螺旋状にディスク上に配される。そのような複数巻の螺旋が、データトラックを形成する。ディスク上のデータにアクセスするには、レーザービーム等の放射ビームが用いられ、このビームが、光ピックアップユニット（ＯＰＵ）その他の助けを借りて、ディスク上に指向させられる。ディスク上のデータをうまく読出し／書込みするためには、このＯＰＵが、ディスクの回転中においてトラックに追従しなくてはならない。この目的のため、ディスクにより生成されるトラッキング信号を利用するサーボシステムがインストールされている。
【０００３】
データがディスク内にどのように配されるかに応じて、３つのタイプの光媒体が区別される。１つは、読出専用メモリ（ＲＯＭ）である。この場合、データは、データピットの形式でディスク内に複製され、それ以上変更することはできない。別の１つのタイプは、記録可能型（Ｒ）または追記型（ＷＯ）媒体であり、これらはいずれもＲ媒体と呼ばれることが多い。このよう媒体には、ユーザーは、自分のデータをディスク上に１回書き込み、多数回読み出すことができる。第３のタイプは、書換可能型媒体（ＲＷまたはＲＥ）である。かかる媒体は、ユーザーによる多数回の書換えおよび読出しを受けることができる。Ｒ、ＲＷおよびＲＥ媒体は、一般的に空ディスクの状態で購入され、一方ＲＯＭは、常にデータを担持している。
【０００４】
トラッキングの目的のため、空の記録可能型および書換可能型光ディスクは、一般的に、ディスク内のグルーブにより形成されたトラックを有している。その場合、データは、グルーブ内（イン・グルーブ）、グルーブ間の領域（オン・グルーブ）、またはその両方のいずれかに記録され得る。データが記録される方法は、一般的にトラッキング極性と呼ばれる。
【０００５】
たとえばブルーレイディスク（ＢＤ）のようないくつかの光記録システムでは、空の記録可能型および書換可能型ディスク（二層または多層バージョンを含む）に対して、イン・グルーブおよびオン・グルーブのトラッキング極性の両方が許容される。このことは、イン・グルーブおよびオン・グルーブの両方の媒体タイプを結果としてもたらす。これにより、記録材料のタイプおよびディスク製造工程の柔軟性が得られるので、低コストの媒体製造が可能となる。
【０００６】
しかしその結果、ディスクドライブは、ＢＤディスク等のディスクのトラッキング極性を前もって知らないこととなる。したがって、ドライブは、ディスクの起動の度に、その起動中においてトラッキング極性を特定する必要がある。このディスク起動動作は、多くの起動時間を消費しないことが好ましい。
【０００７】
起動中において、ドライブは、ＲＯＭ型媒体と、記録可能型または書換可能型媒体とを区別しなくてはならないかもしれない。ここで、（一部）記録済のＢＤ−ＲおよびＢＤ−ＲＥディスクが、ＲＯＭディスクから通常検出される実質的な位相差検出（ｄｉｆｆｅｒｅｎｔｉａｌ  ｐｈａｓｅ  ｄｅｔｅｃｔｉｏｎ；ＤＰＤ）信号を全く有さないということは、保障されていない。すなわち、（一部）記録済のＢＤ−ＲおよびＢＤ−ＲＥディスクが、ＤＰＤ信号を有することもあり得る。また、プッシュプル（ＰＰ）信号の振幅も、ディスクのタイプを特定するには十分でない。一般的にＰＰ信号は、グルーブを有する記録可能型および書換可能型媒体で検出されるものであるが、ＲＯＭディスクもまた、いくらかのプッシュプル信号を発生させる。
【発明の開示】
【発明が解決しようとする課題】
【０００８】
本発明の目的は、記録担体のタイプを特定する手段、とりわけ、特定の記録担体がＣＤ、ＤＶＤまたはＢＤといった光記憶システムの特定の族のいずれに属するかはすでに分かっていることを前提として、読出専用（ＲＯＭ）型の記録担体と、記録可能／書換可能（Ｒ／ＲＥ）型の記録担体とを、迅速な独自の手法で区別することを可能とする手段、および対応の方法を提供することである。
【課題を解決するための手段】
【０００９】
本発明によれば、上記の目的は、請求項１または２に記載の、記録担体のタイプを特定する手段を有するドライブであって、その手段が、
−  位相差検出（ＤＰＤ）信号を測定するＤＰＤ測定ユニットと、
−  ＤＰＤ信号が測定できなかった際に、プッシュプル（ＰＰ）信号を測定するＰＰ測定ユニットと、
−  オプションとして、ＰＰ信号が測定できた際に、第１および／または第２の極性設定を用いて、ウォブル状のグルーブ内に組み込まれたウォブルにロッキングするウォブルロッキングユニットと、
−  ＤＰＤ信号が測定できた際に、その記録担体が読出専用型の記録担体であることを示し、ＤＰＤ信号は測定できなかったがＰＰ信号が測定でき、かつオプションとしてウォブルへのロッキングが成功した際に、その記録担体が記録可能型または書換可能型の記録担体であることを示す、第１の指示信号を発生させる指示ユニットとを含む手段であるような、ドライブを提供することにより達成される。
【００１０】
本発明に係る、光記録担体のタイプを特定するための対応方法は、請求項９および１０において規定されている。請求項１１は、コンピュータ上で実行された際に、そのコンピュータに請求項９記載の方法の各工程を実行させるような、プログラムコード手段を含むコンピュータプログラムを規定している。本発明の好ましい実施形態は、従属請求項において規定されている。
【００１１】
本発明は、読出専用型の記録担体と、記録可能型／書換可能型の記録担体とを区別するために、位相差検出（ＤＰＤ）信号およびプッシュプル（ＰＰ）信号の測定を利用しようという思想に基づいている。これら２つのタイプの信号は、典型的にはトラッキング目的で使用される。ＤＰＤ信号は、通常、データビットが常に存在するＲＯＭ型媒体のトラッキングに使用される。したがって、ＤＰＤ信号が測定できた場合には、その記録担体はＲＯＭ型の記録担体である可能性が非常に高い。これは、記録可能型または書換可能型の媒体上には、一般的にデータビットは存在せず、ＤＰＤ信号が発生させられないためである。
【００１２】
後者の場合、すなわちＤＰＤ信号が発生させられなかった場合には、ＰＰ信号が追加で測定される。このＰＰ信号は、トラック上およびトラック中間においてゼロの値を示すが、これら２つの場合に対して異なるトラッキング極性を有する。書換可能型および記録可能型の媒体では、一般的に、既知のウォブル形状を有するマスタリングされたプリグルーブが、ディスク上に存在する。したがって、ＰＰ信号が測定できた場合における、プリグルーブ内のウォブルへのロッキングを行う追加工程では、最大２つの異なる極性設定が用いられ得る。２つの極性設定のうちの１つでロッキングが成功した場合には、その記録担体は、記録可能型または書換可能型の記録担体である可能性が非常に高い。ロッキングができなかった場合には、その記録担体は、当初想定されていた光記憶システムの族に属するものではないと考えられる（たとえば、当初ＢＤディスクを想定していた場合には、ＢＤディスクではないと考えられる）。
【００１３】
その後、ドライブがその記録担体にアクセスするための適切な起動シーケンスへと進めるように、特定された記録担体のタイプが、第１の指示信号によって示され得る。
【００１４】
こうして、本発明は、そのディスクがどの特定の記憶システム族（たとえばＣＤ、ＤＶＤまたはＤＢ）に属しているかが予め分かっているという前提で、読出専用型の記録担体と、記録可能型または書換可能型の記録担体とを、迅速に見分けるための解決法を提供する。
【００１５】
請求項２に規定された好ましい実施形態によれば、具体的には指示ユニットのさらなる適合化により、記録可能型および書換可能型の記録担体に関し、トラッキング極性を特定することがさらに可能である。この適合化により、指示ユニットは、先行するロッキング工程においてグルーブ内のウォブルへのロッキングが成功した極性設定に応じて、記録可能型または書換可能型の記録担体が第１または第２のトラッキング極性を有することを示す、第２の指示信号をさらに発生させる。
【００１６】
本発明のさらなる実施形態では、指示ユニットは、ＰＰ信号が測定できなかった際またはウォブルへのロッキングが成功しなかった際に、第１の指示信号内において、その記録担体が異なる光記録担体族のものであることをさらに示すように構成され得る。したがって、そのような場合には、ドライブは、対応のエラー信号を出力したり、異なる起動手順を用いたりすることができる。
【００１７】
上記のウォブルロッキングユニットは、１回目の工程において、第１の極性設定、特に特定族の記録可能型または書換可能型の記録担体において最もよく出現する極性設定を用いて、ウォブル状のグルーブ内に組み込まれたウォブルにロッキングし、かつ、その第１の極性設定を用いたロッキングが成功しなかった際には、第２の極性設定を用いて２回目の工程を実行するように構成されることが好ましい。これは、正しい極性設定を見出すための、時間効率のよい解決策である。現行では、最もよく出現する極性設定はオン・グルーブの極性設定であるようなので、上記の第１の極性設定は、オン・グルーブの極性設定であることが好ましく、第２の極性設定は、イン・グルーブの極性設定であることが好ましい。
【００１８】
さらに、本発明は、ＢＤ族の記録担体の種々のタイプの中から、記録担体のタイプを特定するために、すなわち、ＢＤ−ＲＯＭ、ＢＤ−ＲまたはＢＤ−ＲＥディスク間で区別を行うために、好適に適用される。しかしながら、ＤＰＤ信号およびＰＰ信号の測定が可能であり、記録可能型または書換可能型の記録担体がウォブル状のグルーブを有している限り、本発明は、上記で説明したような問題を同様に包含する他のいかなる光記憶システムにも適用可能である。
【００１９】
記録可能型ディスクと書換可能型ディスクとは、ユーザーデータが存在している場合には同量のＤＰＤ信号を有しているかもしれず、したがってＤＰＤ信号が測定されたからといって、ＲＯＭ型のディスクであることが必ずしも保障されるわけではないので、ＤＰＤ測定ユニットは、ＤＰＤ信号を測定するため、書込みが禁止されている領域（たとえばＢＤディスク上のＰＩＣ領域）にアクセスするように構成されていることが好ましい。
【発明を実施するための最良の形態】
【００２０】
以下、図面を参照して、本発明をより詳細に説明する。
【００２１】
図１は、本発明に従うドライブ１を概略的に示している。このドライブ１は、読出／書込ユニット３を用いて記録担体２のデータの読出しまたは書込みを行うべく、たとえばＢＤディスクである記録担体２にアクセスする。データの読出し／書込みをうまく行うためには、光ピックアップユニット（図示せず）は、記録担体２の回転中、記録担体上のトラックに追従しなくてはならない。この目的のため、サーボシステムはトラッキング信号を利用する。一方の読出専用型記録担体（ＲＯＭ）と、他方の記録可能／追記型および書換可能型記録担体（Ｒ、ＲＷ、ＲＥ）とでは、トラッキングの方法が異なる。これは、データビットが存在する読出専用媒体に対して、一般的に新しく購入された記録可能型および書換可能型媒体上には、ユーザーデータビットが何ら存在しないためである。
【００２２】
ディスク２がドライブ１に挿入されると、起動手順が始まる。この手順の間において、サーボ信号およびディスク関連情報がディスクから取り出され、テスト手順が始まる。ドライブは、一般的に、ディスクのリードイン領域内においてこの起動手順を実行する。かかる起動手順は、たとえば、焦点捕捉、焦点オフセットの較正、カバー層厚の補償、およびディスクの傾きの較正を含む。とりわけＢＤディスクに関しては、リードイン領域は、関連する起動情報が記憶されたＰＩＣ領域（Ｐｅｒｍａｎｅｎｔ  Ｉｎｆｏｒｍａｔｉｏｎ  ａｎｄ  Ｃｏｎｔｒｏｌ  ｄａｔａ；固定情報および制御データ）を含んでおり、この情報は、ドライブによりディスクから取り出すことができる。
【００２３】
トラッキングに関しては、システム内で典型的に使用される２つのタイプの信号が存在する。それは、位相差検出（ＤＰＤ）信号と、プッシュプル（ＰＰ）信号である。これら２つのタイプの信号は、公称トラック位置からの光スポットのずれの尺度である。
【００２４】
ＤＰＤ信号は、一般的には特定の半径方向オフセットに配された４分割光検出器の、各対角要素対から得られる電流合計値間の、位相差として規定される。この位相差は、チャネルビットクロック周期の何分の一かで表される。このＤＰＤ信号は、ディスク内に存在するデータビット（たとえばエンボス形成されたピット）からの結果として得られる。したがって、このトラッキング信号は、通常、データビットが常に存在するＲＯＭ型の媒体において用いられる。データのピット−ランド構造は、回折パターンを発生させ、重なり合う次数の干渉結果が、入力として用いられる。
【００２５】
Ｒ、ＲＷおよびＲＥ媒体は、空の状態（すなわち、ユーザーデータビットが何ら存在しない状態）であるかもしれないので、ＤＰＤ信号が常に生成されるとは限らない。（空の）ディスクによりトラッキング信号を生成するため、ディスク内にグルーブ構造が適用される。このグルーブは、製造時においてディスク内に複製され、一般的には同心楕円状の形状を有している。これにより、サーボ機構は、ディスク上のグルーブの螺旋構造を追従することが可能となる。グルーブ構造を走査する際には、回折パターンが生成される。この重なり合う回折次数間の干渉が、トラッキングに利用される。結果として得られるＰＰ信号は、トラック上およびトラック中間を走査している場合にゼロとなる特性を有する。しかしながら、これら２つの場合のトラッキング極性は逆である。
【００２６】
ここで、読出専用型ディスク上のデータビットも、ある種のＰＰ信号を発生させ得る点に留意されたい。
【００２７】
ＰＰ信号は、実体上は１つのエラー信号である。ＰＰ信号は、オフトラック状態にあることの尺度である。すなわち、ＰＰ信号の値が大きいほど、光スポットは、ディスクのグルーブの螺旋構造に沿った公称トラッキング方向から、より大きくずれていることになる。このエラー信号は、光ディスクを螺旋構造に沿って走査している間において、光スポットの半径方向位置を制御するためのサーボ信号として利用される。サーボループが閉状態にある間は、光スポットは公称トラッキング方向上にあり、ＰＰ信号はゼロである。
【００２８】
ＤＰＤ信号およびＰＰ信号に関するさらなる詳細は、様々な光学システムの規格で規定されており、それらの規格はここに引用されているものとする。
【００２９】
書換可能型および記録可能型の媒体では、一般的に、ウォブル形状を有する予めマスタリングされたグルーブが、ディスク上に存在する。ディスクは、オン・グルーブ型でもよいし、イン・グルーブ型でもよい。オン・グルーブ型は、グルーブ構造が周辺のランドよりも対物レンズに近接するように規定され、イン・グルーブ型はその逆である。ドライブの側から見ると、これら２つの型に対しては、プッシュプルトラッキング信号の極性は逆となる。ドライブは、試行錯誤の方法（ｔｒｉａｌ−ａｎｄ−ｅｒｒｏｒ−ｍｅｔｈｏｄ）を用いる場合を除き、極性を容易に特定することができない。
【００３０】
より古い光記録フォーマット（たとえばＣＤ−Ｒ、ＣＤ−ＲＷおよびＤＶＤ＋Ｒ／＋ＲＷ）では、ディスク上に書き込まれるデータは、常にオン・グルーブで記録されていた。したがって、ドライブが正しいトラッキング極性を特定する問題はなかった。
【００３１】
ＢＤ−ＲＯＭの場合には、ＤＰＤトラッキング信号の極性は、ディスクのイン・ピットまたはオン・ピットのタイプに対して敏感でない。ドライブは、ピットのタイプによらず、常に同一のＤＰＤ極性を受信する。しかしながら、それらのピットにより生成され得るプッシュプル信号の極性は、これら２つのタイプに対して異なるものとなる。図３には、ＢＤ−ＲＯＭディスクのＰＩＣ領域に関し、イン・ピットおよびオン・ピットのＰＰトラッキング信号およびＤＰＤトラッキング信号が図示されている。ＰＰ信号の極性はイン・ピットの場合とオン・ピットの場合とで逆となり、一方、ＤＰＤ信号は逆極性を有さないことが、明確に図示されている。
【００３２】
図４には、ＢＤ−Ｒ／ＲＥディスクのＰＩＣ領域に関し、イン・グルーブおよびオン・グルーブのＰＰトラッキング信号が図示されている。図から見て取れるように、ここでもＰＰ信号の極性は、イン・グルーブの場合とオン・グルーブの場合とで逆となっている。ＢＤ−Ｒ／ＲＥのＰＩＣ領域を走査している際には、ＤＰＤ信号は生成されない。
【００３３】
ＢＤディスクの場合、そしておそらくは将来の光記憶システムの場合には、トラッキング極性が異なる場合があり得、その場合、ドライブは正しいトラッキング極性を前もって知らないこととなる。正しい起動手順の実行を可能とするには、その前にトラッキング極性を特定しなくてはならない。そのため、図１に示したドライブの実施形態には、記録担体のタイプを特定する手段４が設けられている。この実施形態では、この手段４は、ＲＯＭ型ディスクと非ＲＯＭ型ディスクとを区別できるだけでなく、記録担体が記録可能型または書換可能型の記録担体である場合には、さらに極性を特定できるように構成されている。記録担体のタイプおよびトラッキング極性を特定する対応の方法は、図２に図示されている。
【００３４】
最初のステップ（Ｓ１）では、ドライブは、ディスクのＰＩＣ帯に移動し、焦点サーボおよびカバー層厚補償サーボを設定する。すなわち、多層ディスクの場合には、ドライブは、ディスクの正しい記録層上に合焦する。その後、次のステップ（Ｓ２）において、適当なＤＰＤ測定ユニット４１により、ＤＰＤ信号が（ＰＩＣ帯から）測定される。すなわち、特定の半径方向オフセットに配された４分割光検出器の、各対角要素対から得られる電流合計値間の、位相差を計算することにより、ＤＰＤ信号が測定される。この位相差は、チャネルビットクロック周期の何分の一かで表される。ＤＰＤ信号の振幅が十分に大きい場合には、これはディスクがＲＯＭ型ディスクであることの一義的な指標であり、ＲＯＭ特有の起動シーケンスが後続する（Ｓ３）。
【００３５】
ＤＰＤ信号が見出されない場合には、ディスクは空のディスクである可能性があるため、次のステップＳ４として、適当なＰＰ測定ユニット４２によりＰＰ信号が測定される。ＰＰ信号の振幅が十分に大きい場合には、これはディスクが記録可能型または書換可能型ディスクであることの指標である。そうでない場合には、そのディスクは、想定されている記憶システム族でない可能性が非常に高い。すなわち、図２の例では、ＢＤディスクでない可能性が非常に高い。この場合、ドライブは、対応のエラー信号を発するか、異なる記憶システム族の記録担体に対する異なる起動手順を試行する。
【００３６】
次のステップＳ５では、ウォブルロッキングユニット４３により、グルーブの極性がチェックされる。可能性のある２つのトラッキング極性のうちの１つ（好ましくは、空ディスクで最もよく出現するタイプのトラッキング極性）を用いてＰＰサーボを閉じた後、ＰＩＣ帯内においてウォブル信号へのロッキングが試みられる。ウォブルにうまくロッキングされると、ドライブは、実際のディスクがＢＤ−ＲまたはＢＤ−ＲＥディスクであることを認知し、ＰＩＣ情報を読み出し、続いてＢＤ−ＲまたはＢＤ−ＲＥディスクのための起動シーケンスへと移る（Ｓ６）。ウォブル信号へのロッキングができない場合、おそらく誤った極性でトラッキングが行われたということである。その場合、ステップＳ７において他方のトラッキング極性への切換えが行われ、ステップＳ８においてＰＩＣウォブルへのロッキングが再試行される。うまくロッキングができた場合は、ドライブは、逆のトラッキング極性でＢＤ−ＲまたはＢＤ−ＲＥディスクを取り扱うことを認識し、ＢＤ−ＲまたはＢＤ−ＲＥ用の起動シーケンスに進むことができる（Ｓ９）。ウォブルへのロッキングがうまくできないままである場合には、ディスクはＢＤディスクではなく、上記で説明したのと同様の結果に繋がる。
【００３７】
どのタイプの記録担体がドライブ内に挿入されたか、およびどちらの種類のトラッキング極性を記録担体が有するか（記録可能型もしくは書換可能型の記録担体の場合）を指示するため、適当な指示ユニット４４が設けられる。この指示ユニット４４は、記録担体のタイプ（読出専用型または記録可能型／書換可能型の記録担体）を示す第１の指示信号を発する。さらなる実施形態では、指示ユニット４４は、記録可能型または書換可能型の記録担体の場合に、その記録担体がどちらの種類の極性を有するかを示す第２の指示信号を、さらに発する。
【００３８】
本発明の１つの実施形態は、少なくともＢＤ記録担体に関しては、ＰＩＣ領域の読出しから得られるトラッキング信号を考慮すると、ＲＯＭとＲ／ＲＥとの間に明確な差異があるという事実を利用している。ＢＤ−ＲＯＭディスクは、ＰＩＣ領域内において常にＤＰＤ信号を示す。空状態および書き込まれた状態のＢＤ−Ｒ／ＲＥにおいては、このＰＩＣ領域内では書込みが禁止されているのでＤＰＤ信号を呈することは決してなく、グルーブのみが存在する。ディスク上の他の領域では、ユーザーデータが存在している場合にはＢＤ−Ｒ／ＲＥディスクもいくらかの量のＤＰＤ信号を有するかもしれないので、この明確な差異は保障されない。
【００３９】
本発明は、記録担体のタイプを特定するため、とりわけＲＯＭ型ディスクと非ＲＯＭ型ディスクとを区別するための、迅速かつ独自の解決策を提供する。さらに、記録可能型／書換可能型の記録担体の場合に、極性のタイプを特定するための解決策も提供される。
【図面の簡単な説明】
【００４０】
【図１】本発明に従うドライブを図示したブロック図
【図２】具体例としてＢＤディスクを用いた、本発明に従う方法の各工程を示したフローチャート
【図３】ＢＤ−ＲＯＭのイン・ピットの場合とオン・ピットの場合とについて、ＰＩＣ領域内の典型的なＰＰ信号およびＤＰＤ信号を示したグラフ
【図４】ＢＤ−Ｒ／ＲＥのイン・グルーブの場合とオン・グルーブの場合とについて、ＰＩＣ領域内の典型的なＰＰ信号を示したグラフ
【図１】
2008510261.tif 000003
【図２】
2008510261.tif 000004
【図３】
2008510261.tif 000005
【図４】
2008510261.tif 000006
【国際調査報告】
2008510261.tif 000007
2008510261.tif 000008